【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
縦方向に延在する回転軸ＡＲを有し、かつ、
シャンク部分、および
前記シャンク部分から切削端面まで延在し、およびらせん形状の溝と交互になった少なくとも４つの切歯と一体的に形成されており、および切削部分直径ＤＥを有する、切削部分
を含む、チタニウムを機械加工するためのエンドミルにおいて、
各歯が、
すくい面、
逃げ面、
前記すくい面と逃げ面とが交わるところに形成された切れ刃、および
前記切れ刃から離間し、かつ前記逃げ面と、前記歯に後続する前記溝の隣接する面とが交わるところに形成された逃げ刃
を含み、
各すくい面が、
凹型副すくい面、
前記回転軸から前記凹型副すくい面よりも遠くに位置決めされ、かつ前記切れ刃を通過する仮想上の放射状線に対して、前記凹型副すくい面の上側に隆起する切削副すくい面、および
前記凹型副すくい面と切削副すくい面とが交わる点に形成されたすくい不連続点
を含み、
各歯は、前記切削副すくい面と前記逃げ面とが交わるところに形成された実内部切削角を含み、前記実内部切削角は、前記凹型副すくい面の仮想上の延長線と前記逃げ面の仮想上の延長線とが交わるところに形成された仮想上の内部切削角よりも、大きい値を有し；
各歯が、その前記すくい不連続点からその前記切れ刃まで測定される切削副すくい面長寸法ＬＣを有し、条件０．０１ＲＴ＜ＬＣ＜０．０５ＲＴ（式中、ＲＴは、前記回転軸から前記切れ刃まで直線的に測定された前記歯の半径寸法である）を満たし；
各歯の半径方向すくい角は、６°〜−６°の範囲であり；
各溝は、条件３０°＜Ｈ＜５０°を満たすねじれ角Ｈを有し；
回転軸ＡＲに垂直な平面では、各溝は、凸形状の追い出し部分、および前記追い出し部分と前記凹型副すくい面とを接続する凹形状の曲げ部分を含み；
前記追い出し部分は、前記追い出し部分の頂点と、前記隣接する曲げ部分の最下点から前記隣接する逃げ刃まで延びる仮想上の直線との間で測定可能な、追い出し高さＥを有し、前記追い出し高さＥは、条件０．０１０ＤＥ＜Ｅ＜０．０３１ＤＥを満たす大きさであり；および
前記切削端面において、前記溝の割り出し角は非対称的な配置にある、エンドミル。
【請求項２】
前記追い出し高さＥが、条件０．０１４ＤＥ＜Ｅ＜０．０２９ＤＥを満たす大きさを有する、請求項１に記載のエンドミル。
【請求項３】
前記追い出し部分、曲げ部分および追い出し高さＥが、前記エンドミルの有効切削部分の前記回転軸ＡＲに垂直な各平面に存在する、請求項１または２に記載のエンドミル。
【請求項４】
前記溝の１つのねじれ角および追い出し部分半径は、前記溝の別の１つのそれぞれねじれ角および追い出し部分半径よりも小さい、請求項１〜３のいずれか一項に記載のエンドミル。
【請求項５】
前記溝の最小ねじれ角よりも前記溝の最大ねじれ角に近いねじれ角は、比較的大きなねじれ角であるとみなされ、および前記溝の前記最大ねじれ角よりも最小ねじれ角に近いねじれ角は、比較的小さなねじれ角であるとみなされ、および比較的大きなねじれ角の各溝の追い出し部分半径は、比較的小さなねじれ角の各溝の追い出し部分半径よりも大きい、請求項４に記載のエンドミル。
【請求項６】
前記溝の１つのねじれ角および曲げ部分半径が、前記溝の別の１つのそれぞれねじれ角および曲げ部分半径よりも小さい、請求項１〜５のいずれか一項に記載のエンドミル。
【請求項７】
前記溝の最小ねじれ角よりも前記溝の最大ねじれ角に近いねじれ角が、比較的大きなねじれ角であるとみなされ、および前記溝の前記最大ねじれ角よりも最小ねじれ角に近いねじれ角が、比較的小さなねじれ角であるとみなされ、および比較的大きなねじれ角の各溝の曲げ部分半径は、比較的小さなねじれ角の各溝の曲げ部分半径よりも大きい、請求項６に記載のエンドミル。
【請求項８】
前記溝の１つの曲げ部分半径が、その追い出し部分半径よりも小さく、または各溝の曲げ部分半径が、その各追い出し部分半径よりも小さい、請求項１〜７のいずれか一項に記載のエンドミル。
【請求項９】
前記切削端面において、各溝が、前記追い出し部分と前記逃げ刃とを接続する凹形状の厚くなる部分を含む、請求項１〜８のいずれか一項に記載のエンドミル。
【請求項１０】
前記厚くなる部分の１つが、前記切削部分の一部分のみに沿って延在するか、または、前記１つの厚くなる部分を除いて、各厚くなる部分は、前記切削部分全体に沿って延在する、請求項９に記載のエンドミル。
【請求項１１】
前記切削部分において、コア径ＤＣが条件０．４７ＤＥ＜ＤＣ＜０．６０ＤＥを満たすか、または前記コア径ＤＣは０．５３ＤＥ±０．０１ＤＥである、請求項１〜１０のいずれか一項に記載のエンドミル。
【請求項１２】
前記実内部切削角の値が、前記仮想上の内部切削角より４°〜１５°大きいか、または前記仮想上の内部切削角より８°〜１３°大きい、請求項１〜１１のいずれか一項に記載のエンドミル。
【請求項１３】
前記歯のすくい角が、２°±１°または−２°±１°である、請求項１〜１２のいずれか一項に記載のエンドミル。
【請求項１４】
前記歯が、各第２の半径方向すくい角が同じ値を有し、その値は交互の歯の前記半径方向すくい角とは異なる、配置にある、請求項１〜１３のいずれか一項に記載のエンドミル。
【請求項１５】
各歯が、前記すくい不連続点から同じ歯の前記切れ刃まで測定される切削副すくい面長寸法ＬＣを有し、条件０．０１ＲＴ＜ＬＣ＜０．０５ＲＴ（式中、ＲＴは、前記それぞれの歯の半径寸法である）を満たすか、または前記切削副すくい面長寸法ＬＣは、０．０２６ＲＴ±０．００５ＲＴである、請求項１〜１４のいずれか一項に記載のエンドミル。
【請求項１６】
前記割り出し角の全てが、（ｉ）前記切削端面、または（ｉｉ）前記切削部分の各横断面、または（ｉｉｉ）それら双方において異なる、請求項１〜１５のいずれか一項に記載のエンドミル。
【請求項１７】
前記切削端面の歯幅が全て、同じ大きさである、請求項１〜１６のいずれか一項に記載のエンドミル。
【請求項１８】
前記切削端面から離間した位置で歯幅が互いに異なる、請求項１〜１７のいずれか一項に記載のエンドミル。
【請求項１９】
１つおきの歯幅の幅が広くなり、および交互の１つおきの歯幅の幅が狭くなる、請求項１８に記載のエンドミル。
【請求項２０】
端面図において、前記エンドミルが、比較的長い歯、および比較的短い歯を含み、前記長い歯は、互いにねじれた位置にある、請求項１〜１９のいずれか一項に記載のエンドミル。
【請求項２１】
各関連の切削副すくい面および凹型副すくい面が、互いに対して、加工物から切削された切り屑が前記切削副すくい面には接触するが、前記切れ刃から離れた側の前記すくい不連続点に直接隣接した前記凹型副すくい面には接触しないように、配置されている、請求項１〜２０のいずれか一項に記載のエンドミル。
【請求項２２】
各歯には鋸歯がない、請求項１〜２１のいずれか一項に記載のエンドミル。
【請求項２３】
前記溝の割り出し角が、前記切削部分の全長に沿って非対称的な配置にある、請求項１〜２２のいずれか一項に記載のエンドミル。
【請求項２４】
各歯が、前記切削端面において、条件０．１３ＤＥ＜ＷＴ＜０．２２ＤＥ、または０．１６５ＤＥ±０．０１ＤＥを満たす歯幅ＷＴを有し得る、請求項１〜２３のいずれか一項に記載のエンドミル。